(57)【要約】【課題】複数のスイッチを含む誘導加熱調理器において、誘導加熱調理器の機能の一部しか必要としない使用者にとっても使い勝手のいい誘導加熱調理器を提供する。【解決手段】誘導加熱調理器は、誘導磁界を発生して、調理容器を誘導加熱する加熱コイル（２）と、各々所定の機能が割り当てられた複数のスイッチ（４ａ〜４ｅ）と、誘導加熱調理器の全ての機能が使用可能な通常モードと、一部の機能のみが使用可能な簡易モードとを含む複数のモードの中からいずれかのモードを選択するためのモード選択スイッチ（９）と、押下されたスイッチに割り当てられた機能に基づいて、加熱コイルに供給する高周波電流を制御する制御部（６）と、を有する。制御部は、モード選択スイッチによって簡易モードが選択された場合に、所定のスイッチのみを使用可能にし、それ以外のスイッチを使用不能にする。【選択図】図１
2009081007.tif 000002
【特許請求の範囲】
【請求項１】
調理容器を載置するトッププレートと、
誘導磁界を発生して、前記調理容器を誘導加熱する加熱コイルと、
各々所定の機能が割り当てられた複数のスイッチと、
誘導加熱調理器の全ての機能が使用可能な通常モードと、一部の機能のみが使用可能な簡易モードとを含む複数のモードの中からいずれかのモードを選択するためのモード選択スイッチと、
前記モード選択スイッチによって選択されたモードに応じて、押下されたスイッチに割り当てられた機能に基づいて、前記加熱コイルに供給する高周波電流を制御する制御部と、
を有し、
前記制御部は、前記モード選択スイッチによって簡易モードが選択された場合に、所定のスイッチのみを使用可能にし、それ以外のスイッチを使用不能にすることを特徴とする誘導加熱調理器。
【請求項２】
前記複数のスイッチにそれぞれ光を照射する光源をさらに有し、
前記制御部は、使用可能に設定した所定のスイッチのみを前記光源により照射させるように、前記光源を制御することを特徴とする請求項１に記載の誘導加熱調理器。
【請求項３】
前記簡易モードで使用可能に設定される所定のスイッチは、調理の開始及び終了の指示のためのスイッチと、加熱用の火力調節のためのスイッチとを含むことを特徴とする請求項１に記載の誘導加熱調理器。
【請求項４】
前記簡易モードで使用可能に設定される所定のスイッチは、調理の開始及び終了の指示のためのスイッチと、加熱用の設定及び揚げ物用の設定への切り換えのためのスイッチと、加熱用の火力調節及び揚げ物用の温度調節のためのスイッチと、を含むことを特徴とする請求項１に記載の誘導加熱調理器。
【請求項５】
調理容器を載置するトッププレートと、
誘導磁界を発生して、前記調理容器を誘導加熱する加熱コイルと、
各々所定の機能が割り当てられた複数のスイッチと、
前記複数のスイッチにそれぞれ光を照射する光源と、
前記複数のスイッチの全てを表示する通常モードと、前記複数のスイッチのうち、一部のスイッチのみを表示する簡易モードとを含む複数のモードの中からいずれかのモードを選択するためのモード選択スイッチと、
前記モード選択スイッチによって選択されたモードに応じて、押下されたスイッチに割り当てられた機能に基づいて、前記加熱コイルに供給する高周波電流を制御する制御部と、
を有し、
前記制御部は、前記モード選択スイッチによって簡易モードが選択された場合に、所定のスイッチのみを照射するように前記光源を制御することを特徴とする誘導加熱調理器。
【請求項６】
前記簡易モードで照射されるスイッチは、調理の開始及び終了を指示するためのスイッチと、加熱用に火力を調節するためのスイッチとを含む、ことを特徴とする請求項５に記載の誘導加熱調理器。
【請求項７】
前記簡易モードで照射されるスイッチは、調理の開始及び終了を指示するためのスイッチと、加熱用の設定及び揚げ物用の設定の切り換えを行うためのスイッチと、加熱用の火力調節及び揚げ物用の温度調節を行うためのスイッチと、を含むことを特徴とする請求項５に記載の誘導加熱調理器。
【発明の詳細な説明】
【技術分野】
【０００１】
本発明は、調理容器を誘導加熱する誘導加熱調理器に関する。特に、複数の操作スイッチを備えて、加熱調理を制御する誘導加熱調理器に関する。
【背景技術】
【０００２】
従来から、鍋などの調理容器を加熱コイルにより誘導加熱する誘導加熱調理器が広く普及している。この誘導加熱調理器は、調理の開始及び終了や火力の上げ下げなど、加熱調理を制御するための機能を備えている。
【０００３】
近年、加熱調理を制御するための機能の数が増加してきている。例えば、調理時間を設定するタイマー機能や、湯沸かしや炊飯などを自動で調理する自動調理機能などの機能が、新たに誘導加熱調理器に設けられてきている。これらの各機能は、トッププレートに設けられたスイッチにそれぞれ割り当てられており、機能の数の増加に伴い、スイッチの数も増加している（例えば、特許文献１の図４参照）。
【特許文献１】特開２００３−３２３９６９号公報
【発明の開示】
【発明が解決しようとする課題】
【０００４】
トッププレートに設けられるスイッチの数が増大すると、ユーザは使用したいスイッチをすぐに見つけることが困難になる。また、使用したいスイッチと異なるスイッチを誤って押下してしまう可能性もある。このような誤った操作は、調理性能の低下を招く。このように、スイッチの増加に伴って、操作性が悪化し、また、誤操作により調理性能が低下するという問題があった。このような問題は、特に、多くの機能を必要としない又は十分に使いこなせないユーザにとって、重大である。
【０００５】
本発明は、複数のスイッチを含む誘導加熱調理器において、誘導加熱調理器の機能の一部しか必要としない使用者にとっても使い勝手のいい誘導加熱調理器を提供することを目的とする。
【課題を解決するための手段】
【０００６】
本発明の誘導加熱調理器は、調理容器を載置するトッププレートと、誘導磁界を発生して、調理容器を誘導加熱する加熱コイルと、各々所定の機能が割り当てられた複数のスイッチと、誘導加熱調理器の全ての機能が使用可能な通常モードと、一部の機能のみが使用可能な簡易モードとを含む複数のモードの中からいずれかのモードを選択するためのモード選択スイッチと、モード選択スイッチによって選択されたモードに応じて、押下されたスイッチに割り当てられた機能に基づいて、加熱コイルに供給する高周波電流を制御する制御部と、を有し、制御部は、モード選択スイッチによって簡易モードが選択された場合に、所定のスイッチのみを使用可能にし、それ以外のスイッチを使用不能にすることを特徴とする。
【０００７】
上記誘導加熱調理器は、複数のスイッチにそれぞれ光を照射する光源をさらに有し、制御部は、使用可能に設定した所定のスイッチのみを光源により照射させるように、光源を制御してもよい。
【０００８】
簡易モードで使用可能に設定される所定のスイッチは、調理の開始及び終了の指示のためのスイッチと、加熱用の火力調節のためのスイッチとを含んでもよい。
【０００９】
簡易モードで使用可能に設定される所定のスイッチは、調理の開始及び終了の指示のためのスイッチと、加熱用の設定及び揚げ物用の設定への切り換えのためのスイッチと、加熱用の火力調節及び揚げ物用の温度調節のためのスイッチと、を含んでもよい。
【００１０】
本発明の他の誘導加熱調理器は、調理容器を載置するトッププレートと、誘導磁界を発生して、調理容器を誘導加熱する加熱コイルと、各々所定の機能が割り当てられた複数のスイッチと、複数のスイッチにそれぞれ光を照射する光源と、複数のスイッチの全てを表示する通常モードと、複数のスイッチのうち、一部のスイッチのみを表示する簡易モードとを含む複数のモードの中からいずれかのモードを選択するためのモード選択スイッチと、モード選択スイッチによって選択されたモードに応じて、押下されたスイッチに割り当てられた機能に基づいて、加熱コイルに供給する高周波電流を制御する制御部と、を有し、制御部は、モード選択スイッチによって簡易モードが選択された場合に、所定のスイッチのみを照射するように光源を制御することを特徴とする。
【００１１】
簡易モードで照射されるスイッチは、調理の開始及び終了を指示するためのスイッチと、加熱用に火力を調節するためのスイッチとを含んでもよい。
【００１２】
簡易モードで照射されるスイッチは、調理の開始及び終了を指示するためのスイッチと、加熱用の設定及び揚げ物用の設定の切り換えを行うためのスイッチと、加熱用の火力調節及び揚げ物用の温度調節を行うためのスイッチと、を含んでもよい。
【発明の効果】
【００１３】
本発明の誘導加熱調理器は、簡易モードにおいて、一部のスイッチのみを表示又は使用可能にすることで、ユーザの誤操作を防止できる。よって、複数のスイッチを含む誘導加熱調理器において、誘導加熱調理器の機能の一部しか必要としない使用者にとっても使い勝手が良くなるという効果が得られる。
【発明を実施するための最良の形態】
【００１４】
以下、本発明の実施形態について、図面を参照して説明する。
【００１５】
１．誘導加熱調理器の構成
図１に、本発明の実施形態の誘導加熱調理器の構成を示す。本実施形態の誘導加熱調理
器は、ガラスなどの電気絶縁物からなり、光を透過する結晶化セラミック製のトップレート１と、トッププレート１の下方に設けられた加熱コイル２と、加熱コイル２の下方に設けられた制御部６と、を有する。加熱コイル２は、トッププレート１に載置された調理容器３を誘導加熱により加熱する。
【００１６】
本実施形態の誘導加熱調理器は、トッププレート１の一部に設けられた第１の操作部４と、第１の操作部４の下方に設けられた光源５とをさらに有する。第１の操作部４は、複数の静電容量式のスイッチにより構成される。これらのスイッチは、トッププレート１の下面に設けられた電極４１と、電極４１に対向するトッププレート１の一部分とによって、構成される。電極４１は、銅やカーボンなどの導電性物質により形成される。使用者が指で電極４１に対向するトッププレート１の上面に触れると、使用者の指とトッププレート１と電極４１とによりコンデンサが形成され、電極４１の電圧が低下する。これにより、制御部６は、スイッチが押下されたと判断できる。各スイッチには、誘導加熱調理器が有する種々の機能がそれぞれ割り当てられている。
【００１７】
光源５は、第１の操作部４の使用可能なスイッチを照射する。これにより、使用者は使用可能なスイッチ（機能）を視認できる。
【００１８】
制御部６は、導電性の端子などにより、第１の操作部４の各電極４１と電気的に接続されている。制御部６は、スイッチに割り当てられた機能に基づいて、加熱コイル２に高周波電流を供給することにより、加熱コイル２の加熱電力量を制御する。具体的には、使用者が調理容器３を加熱するために指で電極４１に対向するトッププレート１の上面に触れて、電極４１の電圧が所定の電圧以下に低下すると、制御部６はスイッチが押下されたと判断して、スイッチに割り当てられた機能に基づいて加熱コイル２を制御する。
【００１９】
本実施形態の誘導加熱調理器は、本体に出し入れ可能なカンガルーポケット７を前面に有する。カンガルーポケット７には、第２の操作部８が収納される。第２の操作部８は、通常モードと簡易モードとを切り換えるためのモード選択スイッチ９を含む。通常モードとは、誘導加熱調理器が有する全ての機能を使用可能なモードである。簡易モードとは、誘導加熱調理器が有する全ての機能のうち一部の機能しか使用できないように、機能が制限されるモードである。簡易モードは、利用できる機能を一部に制限することにより、使用者（例えば、誘導加熱調理器の操作に不慣れな初心者）の操作性の向上を図ることを目的としたものである。本実施形態において、簡易モードでは、調理（加熱）の開始と終了を指示する機能と、火力の上げ下げを制御する機能のみが使用できるものとする。
【００２０】
制御部６は、モード選択スイッチ９によって簡易モードが選択されたときに、誘導加熱調理器が有するスイッチのうち、簡易モードで不要ないくつかのスイッチを使用できないように設定し、通常モードが選択されたときにすべてのスイッチを使用できるように設定する機能制限部６１を有する。スイッチを使用できなくするとは、スイッチが押下されても、そのスイッチに割り当てられた機能に関する動作を行わないようにすることである。
【００２１】
制御部６は、さらに、機能制限部６１により使用可能に設定されたスイッチのみを照射するように光源５を制御する。すなわち、通常モードのときは全てのスイッチを照射するように光源５を制御し、簡易モードのときは使用可能なスイッチのみを照射するように光源５を制御する。
【００２２】
モード選択スイッチ９による通常モードと簡易モードとの切り換えは、電源投入前や電源投入後の待機状態、すなわち、調理が行われていないときや、第１の操作部４のスイッチが押下されていないときに受付可能とする。例えば、待機状態のときに、モード選択スイッチによって通常モードと簡易モードとが切り換えられると、機能制限部６１は選択されたモードに応じて使用可能なスイッチを変更する。
【００２３】
図２に、トッププレート１の上面図を示す。トッププレート１の上面又は下面には、調理容器３の載置場所を示す、少なくとも１つ（本実施形態では、２つ）の加熱部１０が印刷により表示されている。加熱コイル２は、加熱部１０の下方にそれぞれ配置される。加熱部１０の手前側（使用者側）に、表示部１１が設けられる。表示部１１は、加熱コイル２の出力の大きさ、タイマーの残り時間、及び調理メニューを識別するための記号などを表示する。調理メニューとは、加熱、揚げ物、湯沸かし、及び炊飯に適した設定にするモードのことである。第１の操作部４は、表示部１１の手前側（使用者側）に、加熱部１０に対応させて設けられる。
【００２４】
第１の操作部４は、複数の静電容量式のスイッチ４ａ〜４ｅを含み、各スイッチ４ａ〜４ｅには、それぞれ特定の機能が割り当てられている。
【００２５】
例えば、スイッチ４ａは、調理の開始及び終了を制御する機能が割り当てられた切／入スイッチである。
【００２６】
スイッチ４ｂは、「加熱」「揚げ物」「湯沸かし」「炊飯」の調理メニューに適した設定モードに切り換える機能が割り当てられたメニュースイッチである。メニュースイッチ４ｂを押下することによって、「加熱」「揚げ物」「湯沸かし」「炊飯」の順に調理メニューの設定モードが切り換えられる。「加熱」と「揚げ物」を設定したときは、スイッチ４ｃ及びスイッチ４ｄによって、火力や温度の設定が可能となる。「湯沸かし」や「炊飯」は、自動で加熱コイル２を制御して調理する機能である。また、メニュースイッチ４ｂには、第１の操作部４のロックを解除する機能も割り当てられている。
【００２７】
スイッチ４ｃは、火力や温度を上げる機能が割り当てられた調節スイッチである。スイッチ４ｄは、火力や温度を下げる機能が割り当てられた調節スイッチである。スイッチ４ｃ及び４ｄは、調理メニューの「加熱」が選択されているときは、火力の上げ下げを制御するスイッチとなり、調理メニューの「揚げ物」が選択されているときは、温度の上げ下げを調節するスイッチとなる。
【００２８】
スイッチ４ｅは、加熱時間を設定する機能が割り当てられたタイマースイッチ４ｅである。
【００２９】
スイッチ４ａ〜４ｅに割り当てられた機能を識別する文字や記号は各スイッチに刻印されており、光源５は、その文字や記号を発光させる。具体的には、スイッチ４ａ〜４ｅに割り当てられた機能の内容を示す記号や文字は、スイッチ４ａ〜４ｅを構成する電極から予め切り抜かれている。例えば、スイッチ４ａには、「切／入」の文字が電極から切り抜かれており、スイッチ４ｂには「メニュー」の文字が切り抜かれている。光源５が下方からスイッチ４ａ〜４ｅを照射すると、光源５から放射された光が切り抜かれた記号や文字を通過する。これにより、使用者はスイッチに割り当てられた機能の内容を認識できる。
【００３０】
２．  通常モードと簡易モード
本実施形態の誘導加熱調理器では、通常モードと簡易モードで使用できるスイッチ（機能）が異なる。
【００３１】
図３にモード選択スイッチ９によって通常モードが選択されているときに使用可能なスイッチ（機能）を示す。図３の（ａ）はロック解除前、（ｂ）はロック解除直後の状態を示している。誘導加熱調理器の電源投入後は、まずロック解除の機能を有するメニュースイッチ４ｂのみが使用可能な状態となり、メニュースイッチ４ｂのみが光源５により照射される（図３（ａ）参照）。メニュースイッチ４ｂが押下されると、ロックが解除され、他のスイッチが使用可能な状態となる（図３（ｂ）参照）。
【００３２】
ロックが解除された後の通常モードでは、図３（ｂ）に示すように、全ての機能が使用可能となる。すなわち、スイッチ４ａ〜４ｅの全てが使用可能となる。また、メニュースイッチ４ｂによって選択可能な調理メニューのモードは「加熱」「揚げ物」「湯沸かし」及び「炊飯」の全種類である。
【００３３】
図４にモード選択スイッチ９によって簡易モードが選択されているときに使用可能なスイッチ（機能）を示す。図４の（ａ）はロック解除前、（ｂ）はロック解除直後の状態を示している。簡易モードにおいても通常モードと同様に、誘導加熱調理器の電源投入後は、まずロック解除の機能を有するメニュースイッチ４ｂのみが使用可能な状態となり、メニュースイッチ４ｂのみが光源５により照射される（図４（ａ）参照）。メニュースイッチ４ｂが押下されると、ロックが解除され、他のスイッチが使用可能な状態となる（図４（ｂ）参照）。
【００３４】
ロックが解除された後の簡易モードでは、図４（ｂ）に示すように、調理の開始及び終了を指示する機能を有する切／入スイッチ４ａと、火力を調節する機能を有する調節スイッチ４ｃ及び４ｄのみが使用可能である。また、メニュースイッチ４ｂは使用不可能となり、調理メニューは、常に「加熱」のモードに設定される。これらのスイッチの使用可否の制御は、機能制限部６１により行われる。
【００３５】
３．  誘導加熱調理器の動作
図５に、本実施形態の誘導加熱調理器の制御部６の動作を示す。図５は、電源が投入された直後の動作を示している。電源が投入された直後、制御部６はメニュースイッチ４ｂのみを使用可能にし、且つメニュースイッチ４ｂのみを照射するように光源５を制御する（Ｓ５０１）。制御部６は、メニュースイッチ４ｂが押下されたか否かを判断する（Ｓ５０２）。メニュースイッチ４ｂが押下されると、ロックを解除する。制御部６は、モード選択スイッチ９が簡易モードを選択しているか否かを判断する（Ｓ５０３）。
【００３６】
簡易モードが選択されていると（Ｓ５０３でＹｅｓ）、機能制限部６１は簡易モードで使用可能なスイッチを設定する（Ｓ５０４）。ここで、使用可能なスイッチとは、図４（ｂ）に示すように、調理の開始及び終了の機能が割り当てられた切／入スイッチ４ａと、と、火力調節機能が割り当てられた調節スイッチ４ｃ及び３ｄである。それ以外の機能を有するタイマースイッチ４ｅと、メニュースイッチ４ｂは使用不可能に設定される。簡易モードにおいては、調理メニューのモードを「加熱」に限定する。制御部６は、さらに、機能制限部６１によって使用可能に設定されたスイッチのみを照射し、使用不可能に設定されたスイッチを照射しないように光源５を制御する（Ｓ５０５）。
【００３７】
通常モードが選択されていると（Ｓ５０３でＮｏ）、機能制限部６１は、誘導加熱調理器が有する全てのスイッチ４ａ〜４ｅを使用可能に設定する（Ｓ５０６）。制御部６は、全てのスイッチ４ａ〜４ｅを照射するように光源５を制御する（Ｓ５０７）。
【００３８】
以上のように、本実施形態の誘導加熱調理器は、モード選択スイッチ９が選択しているモードに応じて、表示するスイッチの数を切り換えている。特に、簡易モードにおいては、光源５によって簡易モードで使用可能なスイッチのみを照射しているため、視認できるスイッチの数が制限される。よって、使用者は、使用したいスイッチをすぐに見つけることができ、操作性が向上する。また、誤って使用目的と異なるスイッチを押下することもなくなるため、調理性能が向上する。
【００３９】
さらに、本実施形態の誘導加熱調理器は、モード選択スイッチ９が選択しているモードに応じて、全てのスイッチ（機能）を使用可能にするか、一部のスイッチ（機能）のみを使用可能にするかを切り換えているよって、使用者の指が表示されていないスイッチに触れた場合であっても、誤動作することはない。
【００４０】
本実施形態によれば、簡易モードでは、使用可能なスイッチが切／入スイッチ４ａと火力の調節スイッチ４ｃ及び４ｄのみに設定され、調理メニューの設定モードが「加熱」モードに限定される。よって、誘導加熱調理器を加熱モードでしか使用しない使用者は、モード選択スイッチ９を押下することによって、通常モードから簡易モードに切り換えるだけで、簡単に火力の設定を行って加熱調理を行うことができる。これにより、揚げ物、湯沸かし、及び炊飯の調理メニューの選択機能や、タイマー機能を必要としないユーザにとっても使い勝手がよくなる。
【００４１】
さらに、通常モードと簡易モードのいずれにおいても、電源投入直後はメニュースイッチ４ｂによるロック解除を行ってから、スイッチ操作を可能にしている。このように、簡易モードにおいて、スイッチが使用可能になるまでの操作順序を、通常モードにおいてスイッチが使用可能になるまでの操作順序と一致させることによって、簡易モードにおいても、通常モードのときと同じような操作感覚でスイッチを操作することができる。
【００４２】
４．  変形例
なお、本実施形態における簡易モードでは、一部のスイッチのみを使用可能とし（Ｓ５０４）、使用可能なスイッチのみを照射するようにした（Ｓ５０５）が、必ずしもこのように制御する必要はない。簡易モードにおいても全てのスイッチを使用可能な状態にしておき、簡易モードの機能に対応しない特定のスイッチの表示のみを消すようにしても良い。例えば、全てのスイッチの機能を有効にしたまま、切／入スイッチ４ａと調節スイッチ４ｃ及び４ｄを表示して、メニュースイッチ４ｂとタイマースイッチ４ｅとを表示しないようにするだけであっても良い。この場合であっても、本実施形態と同様に、使用者による誤操作の防止の効果が得られる。
【００４３】
また、本実施形態においては、使用可能なスイッチと使用不可能なスイッチとを、光源５により照射するか否かによって切り換えたが、使用可能なスイッチと使用不可能なスイッチを光源５の発光色によって区別しても良いし、輝度を変えることで区別しても良い。
【００４４】
なお、本実施形態の簡易モードでは、使用可能なスイッチを切／入スイッチ４ａと調節スイッチ４ｃ及び４ｄに限定し、調理メニューのモードを「加熱」に限定したが、簡易モードのときに使用可能なスイッチの種類は本実施形態に限定しない。例えば、簡易モードで、メニュースイッチ４ｂを使用可能にしても良い。この場合における使用可能なスイッチと表示部１１の表示を図６に示す。
【００４５】
図６（ａ）は電源投入直後のロック解除前の状態を示し、図６（ｂ）はロック解除直後の状態を示している。図６（ａ）のように、電源投入直後は、メニュースイッチ４ｂのみが使用可能な状態となり、メニュースイッチ４ｂのみが照射されている。メニュースイッチ４ｂが押下されると、ロックが解除される。ロックが解除された後、図６（ｂ）に示すように、切／入スイッチ４ａ、メニュースイッチ４ｂ、調節スイッチ４ｃ及び４ｄが使用可能なスイッチとなる。
【００４６】
なお、図６（ｂ）に示すように、簡易モードにおいて、メニュースイッチ４ｂによって選択できる調理メニューの選択可能なモードを「加熱」と「揚げ物」に限定しても良い。この場合、メニュースイッチ４ｂが押下されると、「加熱」と「揚げ物」が交互に切り替わる。「湯沸かし」と「炊飯」には切り替わらない。
【００４７】
なお、一旦ロックが解除された後の待機状態において、モード選択スイッチ９が押下されると、図３（ｂ）のスイッチ４ａ〜４ｅ及び表示部１１の表示と図４（ｂ）のスイッチ４ａ、４ｃ、４ｄ及び表示部１１の表示とが、交互に切り換わる。
【００４８】
なお、本実施形態においては、スイッチ４ａ〜４ｅを構成する電極４１は、トッププレート１の下面に設けたが、これらの電極４１はトッププレート１の上面に設けても良いし、トッププレート１の両面に設けても良い。
【００４９】
なお、本実施形態においては、スイッチ４ａ〜４ｅを構成する電極４１を切り抜くことにより、スイッチに割り当てられている機能を識別する文字や記号を表したが、電極４１を切り抜かずに、文字や記号をスイッチ４ａ〜４ｅに対向するトッププレート１の上面又は下面に印刷しても良い。この場合、光源５は、印刷された文字や記号を識別できるように、スイッチの外縁周辺を照射しても良い。
【００５０】
なお、本実施形態においては、通常モードと簡易モードの２つのモードを備えたが、モードの数は２つに限定せず、３つ以上のモードを備えても良い。
【産業上の利用可能性】
【００５１】
本発明の誘導加熱調理器によれば、多くの機能を搭載する誘導加熱調理器において、それらの機能の一部しか必要としない使用者にとっても使い勝手がよくなるという効果を有し、一般家庭などで使用される誘導加熱調理器に有用である。
【図面の簡単な説明】
【００５２】
【図１】本発明の実施形態の誘導加熱調理器の構成図
【図２】本発明の実施形態の誘導加熱調理器のトッププレートを示す上面図
【図３】通常モードにおいて使用可能な機能を示す図であって、（ａ）はロック解除前、（ｂ）はロック解除直後を示す図
【図４】簡易モードにおいて使用可能な機能を示す図であって、（ａ）はロック解除前、（ｂ）はロック解除直後を示す図
【図５】本発明の実施形態の誘導加熱調理器の電源投入直後の動作を示す図
【図６】簡易モードにおいて使用可能な機能の他の例を示す図であって、（ａ）はロック解除前、（ｂ）はロック解除直後を示す図
【符号の説明】
【００５３】
１          トッププレート
２          加熱コイル
３          調理容器
４          第１の操作部
４ａ〜４ｅ  スイッチ
５          光源
６          制御部
７          カンガルーポケット
８          第２の操作部
９          モード選択スイッチ
１０        加熱部
１１        表示部
４１        電極
６１        機能制限部
【図１】
2009081007.tif 000003
【図２】
2009081007.tif 000004
【図３】
2009081007.tif 000005
【図４】
2009081007.tif 000006
【図５】
2009081007.tif 000007
【図６】
2009081007.tif 000008